(57)【要約】      （修正有）【課題】ユーザがラベルの編集を行いやすくなるような態様でラベルの印字内容を提示することのできるラベル編集装置を提供する。【解決手段】ラベルに印字すべき印字項目内容を編集するラベル編集装置について、印字項目ごとに対応してラベル上に設定された印字エリアを示すラベルフォーマットと、印字項目ごとの内容を示す印字項目内容データを記憶する記憶部と、ラベルフォーマットが示す印字エリアに対して印字項目内容データが示す印字項目の内容を印字したラベルの状態を示すラベルイメージ画像上に、印字項目ごとの名称を示す情報を配置させて表示する表示制御部とを備えて構成する。【選択図】図４
2014205307.tif 000002
【特許請求の範囲】
【請求項１】
ラベルに印字すべき印字項目内容を編集するラベル編集装置であって、
印字項目ごとに対応してラベル上に設定された印字エリアを示すラベルフォーマットと、印字項目ごとの内容を示す印字項目内容データを記憶する記憶部と、
ラベルフォーマットが示す印字エリアに対して印字項目内容データが示す印字項目の内容を印字したラベルの状態を示すラベルイメージ画像上に、印字項目ごとの名称を示す情報の印字項目ガイドを配置させて表示する表示制御部と
を備えるラベル編集装置。
【発明の詳細な説明】
【技術分野】
【０００１】
本発明は、例えば商品などに貼り付けるラベルに印字すべき内容を編集するラベル編集装置に関する。
【背景技術】
【０００２】
スーパーマーケットなどの店舗においては、生鮮食品や総菜などをパック詰めした商品に、品名や値段などの所定項目を印字したラベルを貼り付けるということが行われている。
このようなラベルへの印字とラベルの発行はラベルプリンタによって行われる。例えば、ラベルプリンタとして、オペレータによるキー操作などに応じて、予め定められた印字フォーマットのもとで、商品名、値段、添加物、保存方法などの商品に関連する情報を印字したラベルを発行するラベルプリンタが知られている（例えば、特許文献１参照）
【先行技術文献】
【特許文献】
【０００３】
【特許文献１】特開平１０−３２４３２０号公報
【発明の概要】
【発明が解決しようとする課題】
【０００４】
上記のようなラベルプリンタにおいては、ラベルを発行するのに先立ってラベルに印字される内容が提示できるようにして、例えばオペレータ（ユーザ）が入力内容の正誤やレイアウトの要否を確認できるようにすることが好ましい。
この際も、単にラベルに印字される内容を提示するだけではなく、印字項目が明確となるような態様でラベルに印字される内容を提示すれば、例えばユーザが編集を行いやすくなって好ましい。
【０００５】
しかしながら、特許文献１では、ラベルプリンタが入力された情報を印字フォーマットに従ってラベルに印字するという記載にとどまっており、特に印字内容を確認するための表示などに関する記載はない。このため、特許文献１に記載のラベルプリンタによってラベルの印字内容を提示できるようにすることは困難である。
【０００６】
本発明は、このような事情に鑑みてなされたもので、ユーザがラベルの編集を行いやすくなるような態様でラベルの印字内容を提示することのできるラベル編集装置を提供することを目的とする。
【課題を解決するための手段】
【０００７】
上述した課題を解決するために、本発明の一態様としてのラベル編集装置は、ラベルに印字すべき印字項目内容を編集するラベル編集装置であって、印字項目ごとに対応してラベル上に設定された印字エリアを示すラベルフォーマットと、印字項目ごとの内容を示す印字項目内容データを記憶する記憶部と、ラベルフォーマットが示す印字エリアに対して印字項目内容データが示す印字項目の内容を印字したラベルの状態を示すラベルイメージ画像上に、印字項目ごとの名称を示す情報の印字項目ガイドを配置させて表示する表示制御部とを備える。
【０００８】
上記構成によれば、ラベルフォーマットによって印字すべき印字項目が設定されているラベルの編集結果を示すラベルイメージ画像上に、印字項目ごとの名称を示す情報の表示が行われる。
【発明の効果】
【０００９】
以上説明したように、本発明によれば、ラベル編集装置として、ユーザがラベルの編集を行いやすくなるような態様でラベルの印字内容を提示できるようになるという効果が得られる。
【図面の簡単な説明】
【００１０】
【図１】本実施形態に係るラベルプリンタの外観例を示す斜視図である。
【図２】本実施形態に係るラベル情報画面の態様例を示す図である。
【図３】本実施形態に係る標準ラベルイメージ画面の態様例を示す図である。
【図４】本実施形態に係るガイド付きラベルイメージ画面の態様例を示す図である。
【図５】本実施形態に係るリスト付きラベルイメージ画面の態様例を示す図である。
【図６】本実施形態に係るラベルプリンタの構成例を示す図である。
【図７】本実施形態に係る商品ファイルの一例を示す図である。
【図８】本実施形態に係るラベルフォーマットファイルの一例を示す図である。
【図９】本実施形態に係るラベルプリンタがラベルイメージ画面の表示のために実行する処理手順例を示すフローチャートである。
【図１０】本実施形態に係るラベルプリンタがリスト付きラベルイメージ画面に対する印字項目内容の編集操作に応じて実行する処理手順例を示すフローチャートである。
【発明を実施するための形態】
【００１１】
図１は、本実施形態のラベル編集装置の一例であるラベルプリンタ１００の外観例を示している。この図に示すラベルプリンタ１００は、本体部２００とはかり部３００を備える。これら本体部２００とはかり部３００はケーブル１０１により通信可能に接続される。
【００１２】
本体部２００の上部パネルには液晶表示部２０４が備えられる。液晶表示部２０４においては、ラベルプリンタ１００の動作に応じて、ラベルの作成、編集、発行に関する各種画像が表示される。また、液晶表示部２０４の前面にはタッチパネル２０５が配置される。なお、液晶表示部２０４は液晶ディスプレイによる表示部であるが、例えば有機ＥＬ（ElectroLuminescence）ディスプレイなど、液晶ディスプレイ以外のディスプレイデバイスによる表示部が代わりに備えられてもよい。
【００１３】
タッチパネル２０５は、例えば人の指などの操作体が接触した位置を検出して操作信号として出力する。このように液晶表示部２０４とタッチパネル２０５が組み合わされることで、店員は、液晶表示部２０４において表示されたボタンなどの画像に対して触れるなどのタッチ操作を行うことが可能となる。
また、図１の本体部２００においてラベル排出部２０６ａは、発行されたラベルが排出される部位である。
【００１４】
はかり部３００は、載せ置かれた物の重量を計測する装置であり、例えばパック詰め商品などの重量を計測するために備えられる。店員は、例えば、本体部２００側でのタッチパネル２０５に対する操作により１００ｇあたりの単価を指定したうえで、パック詰め商品をはかり部３００に載せてその重量を計測する。本体部２００は、はかり部３００により計測されたパック詰め賞品の重量を入力し、パック詰め商品の値段を算出することができる。つまり、ラベルプリンタ１００は、単位重量あたりの単価さえ指定しておけば、はかり部３００によりパック詰め商品の重量を計測することによって自動的にパック詰め商品の値段を算出し、算出した値段をラベルに印字することができる。
【００１５】
ここで、本実施形態におけるラベルの作成、編集の一例について説明する。本実施形態においては、ラベルの作成にあたり、ラベルフォーマットを利用する。ユーザは、ラベルフォーマットの作成、編集を行うことができる。
ラベルフォーマットの作成にあたっては、予め用意された印字項目の種別ごとに、ラベルに対する印字の有無を設定するようにされている。ラベルに印字すべき印字項目の種別は、例えば商品の種類などに応じて異なってくる。例えば、添加物などの情報は、生鮮物などで添加物が添加されていないような商品では不要になる。ユーザは、商品ごとの特徴に合わせて、ラベルに印字すべき印字項目の種別を選択して、印字有りを設定する。
また、ラベルフォーマットの作成、編集にあたって、設定された印字項目ごとに対応する印字エリアのサイズとラベル上での位置が設定される。
【００１６】
次に、本実施形態におけるラベルの作成、編集の一例について説明する。ユーザ（店員）は、ラベルプリンタ１００に表示された所定の操作画面に対してラベル編集を指示する操作を行うことができる。この際、ユーザは、ラベル編集対象の商品を指定する。商品を指定することにより、指定された商品に対応付けられたラベルフォーマットが読み込まれ、例えば読み込まれたラベルフォーマットに応じたラベル編集画面（図示は省略する）が表示される。なお、商品にラベルフォーマットが対応付けられていないときには、ラベル編集対象の商品の指定と合わせてラベルフォーマットを指定する操作を行えばよい。
【００１７】
ラベル編集画面においては、例えば対応のラベルフォーマットにおいて印字有りが設定された印字項目の一覧が示されている。ユーザは、ラベル編集画面において示される印字項目の一覧のうちから、任意の印字項目を入力対象として選択する操作を行うことができる。入力対象の印字項目として、文字入力をすべき印字項目が選択された場合、ラベルプリンタ１００は、選択された印字項目に対応する文字入力画面を表示させる。
ユーザは、表示された文字入力画面に対して、対応の印字項目としての内容の文字を入力する。例えば、文字入力画面が品名の印字項目に対応する場合、ユーザは、文字入力画面に対して、例えば「和牛ロース」などのように品名としての文字を入力する。
このように、本実施形態においては、ラベルフォーマット印字項目ごとにその内容を入力していくことで、ラベルを作成することができる。
【００１８】
また、本実施形態のラベルプリンタ１００は、商品ごとに対応するラベルの作成結果が反映されたラベル情報画面を出力させることができる。
図２は、ラベルプリンタ１００の液晶表示部２０４に表示される、ラベル情報画面の表示態様例を示している。
ラベル情報画面にはラベル情報が表示される。ラベル情報は、１つの商品に対応して作成されたラベルの内容に関する所定の情報を示す。図２には、「和牛ロース」の商品に対応して作成されたラベル情報が示されている。
なお、図２のラベル情報画面には、項目ごとのボタンが配置されている。ユーザは、ラベル情報画面上における任意の項目に対してタッチ操作を行うことができる。ラベル情報画面は、項目に対するタッチ操作が行われるのに応じて、タッチされた項目についての詳細内容を示す詳細画面を表示する。
【００１９】
また、ラベル情報画面が表示されている状態の下で、ユーザがラベル発行のための所定操作を行うのに応じて、図１のラベルプリンタ１００は、ラベル情報画面に表示されている商品についての印字項目をラベルの用紙に印字する。そして、ラベルプリンタ１００は、印字した用紙をラベル排出部２０６ａからラベルとして発行する。
【００２０】
また、ラベルプリンタ１００は、ラベルイメージ画面を表示することができる。ラベルイメージ画面は、ラベル情報に従って印字されるラベルの内容を示す画像が示される画面であり、例えば図２のラベル情報画面におけるラベル印字イメージボタンＢＴ１に対する操作が行われるのに応じて表示される。
【００２１】
図３は、本実施形態におけるラベルイメージ画面の表示態様例を示している。図３のラベルイメージ画面は、ラベルイメージウィンドウＷＤ１と、商品指定領域ＡＲ１と、ボタン領域ＡＲ２とを含む。
【００２２】
ラベルイメージウィンドウＷＤ１は、ラベルイメージ画像ＬＩＭが表示されるウィンドウである。
ラベルイメージ画像ＬＩＭは、ラベル情報に従って印字されるラベルの内容を示す画像である。つまり、ラベルイメージ画像ＬＩＭは、ラベルフォーマットが示す印字エリアに対して印字項目内容データが示す印字項目の内容を印字したラベルの状態を示す
【００２３】
ユーザ(店員)は、ラベルイメージ画像ＬＩＭを見ることで、作成したラベルにおける印字項目ごとの内容が正しいか否かについて判断することができる。
また、ラベルイメージ画像ＬＩＭにおける各印字項目の内容（印字項目内容）は、それぞれ、対応の印字エリア内に示される。各印字項目の印字エリアは、それぞれ、ラベルフォーマットによりサイズと位置が設定されている。従って、ユーザは、ラベルイメージ画像ＬＩＭを見ることで、印字項目ごとの印字エリアの配置状態が適切か否かについても確認できる。
【００２４】
商品指定領域ＡＲ１は、ラベルイメージウィンドウＷＤ１に表示されているラベルに対応する商品を示す領域である。商品指定領域ＡＲ１は、ラベルイメージウィンドウＷＤ１に表示されているラベルに対応する商品を、例えば商品番号と商品の名称(商品名)とにより示す。また、ユーザは、商品指定領域ＡＲ１に対して商品番号もしくは名称を入力する操作を行うことによって、ラベルイメージウィンドウＷＤ１に表示させるラベルに対応する商品を指定することもできる。
【００２５】
ボタン領域ＡＲ２は、ラベルイメージ画面に対する所定の操作を行うための各種のボタンが配置される画像である。
具体的に、図３のボタン領域ＡＲ２においては、印字項目ガイド表示ボタンＢＴ１１、印字項目リスト表示ボタンＢＴ１２、終了ボタンＢＴ１３、戻るボタンＢＴ１４が含まれる。
【００２６】
印字項目ガイド表示ボタンＢＴ１１は、ラベルイメージ画面において印字項目ガイドを表示させるための操作が行われるボタンである。印字項目ガイドの表示の態様例については後述する。
印字項目リスト表示ボタンＢＴ１２は、ラベルイメージ画面において印字項目リストを表示させるための操作が行われるボタンである。印字項目リスト付きのラベルイメージ画面の表示態様例については後述する。
終了ボタンＢＴ１３は、ラベルイメージ画面上での編集操作により変更された内容を保存してラベルイメージ画面を終了させるため操作が行われるボタンである。例えば、終了ボタンＢＴ１３に対する操作が行われた場合には、ラベルイメージ画面上での編集操作により変更された内容が反映されたラベル情報画面の表示に移行する。
戻るボタンＢＴ１４は、ラベルイメージ画面上での編集操作により変更された内容を保存することなく、例えばラベルイメージ画面に遷移する前のラベル情報画面に戻すための操作が行われるボタンである。
【００２７】
また、ボタン領域ＡＲ２に対する他の所定のボタンに対する操作によっては、ラベルイメージウィンドウＷＤ１内のラベルイメージ画像ＬＩＭの拡大、縮小を行うことができる。また、ボタン領域ＡＲ２に対するさらに他の所定のボタンに対する操作によって、ラベルイメージ画像ＬＩＭ上に配置された印字エリアを移動させることもできる。
【００２８】
図３に示されるラベルイメージ画像ＬＩＭの内容は、ラベルに印字される視覚的な内容をそのまま反映している。このように表示されるラベルイメージ画像ＬＩＭにおける文字やバーコードなどの印字内容は、ラベルフォーマットにおいて設定された印字項目のいずれかに該当している。また、ラベルイメージ画像ＬＩＭにおける印字内容の配置は、ラベルフォーマットにおける印字項目ごとの印字エリアの位置及びサイズなどに対応している。
【００２９】
ここで、図３のラベルイメージ画面が表示されている状態において、ボタン領域ＡＲ２における印字項目ガイド表示ボタンＢＴ１１が操作された場合、図３のラベルイメージ画面は図４に示す態様に変化する。
【００３０】
図４のラベルイメージ画面においては、ラベルイメージ画像ＬＩＭの内容が図３と異なっている。つまり、図４のラベルイメージ画像ＬＩＭは、図３のラベルイメージ画像ＬＩＭの内容に対して、印字項目ごとに対応した印字項目ガイドが重畳された態様である。
印字項目ガイドは、印字項目ごとの印字項目の名称を示す情報と印字エリアの位置及びサイズをラベルイメージ画像ＬＩＭ上で示す表示である。
具体的に、図４のラベルイメージ画像ＬＩＭにおける「和牛ロース」の文字に対応しては、印字項目名称情報ＮＭ１と印字エリア指示枠ＰＡＲ１が配置されている。印字項目名称情報ＮＭ１は、対応の印字項目の種別の名称（印字項目名称）を示す情報であり、図４においては「品名」の文字が表示された例を示している。また、印字エリア指示枠ＰＡＲ１は、対応の印字項目についてラベルフォーマットにて設定されている印字エリアの位置とサイズを、例えば方形の枠形状によって示す。
ユーザは、このように表示された印字項目名称情報ＮＭ１と印字エリア指示枠ＰＡＲ１の組合せによる印字項目ガイドを見ることで、「和牛ロース」の文字は、「品名」の印字項目に対応して入力された印字内容であることを把握できる。また、ユーザは、「品名」の印字項目に対応して設定されている印字エリアの位置とサイズを視覚的に把握することができる。
【００３１】
また、図４のラベルイメージ画像ＬＩＭにおいては、印字項目名称情報ＮＭ１と印字エリア指示枠ＰＡＲ１とによる印字項目ガイドの他に、例えば、印字項目名称情報ＮＭ２と印字エリア指示枠ＰＡＲ２とによる印字項目ガイドも配置されている。
ユーザは、印字項目名称情報ＮＭ２と印字エリア指示枠ＰＡＲ２の組合せによる印字項目ガイドを見ることによって、印字エリア指示枠ＰＡＲ２が示す部分（印字エリア指示枠ＰＡＲ２によって囲まれている部分）が「添加物」の印字項目として入力された内容であることを確認できる。また、ユーザは、「添加物」の印字項目に対応して設定されている印字エリアの位置とサイズを視覚的に把握することができる。
【００３２】
同様に、図４のラベルイメージ画像ＬＩＭにおいては、印字項目名称情報ＮＭ３と印字エリア指示枠ＰＡＲ３、印字項目名称情報ＮＭ４と印字エリア指示枠ＰＡＲ４、印字項目名称情報ＮＭ５と印字エリア指示枠ＰＡＲ５、印字項目名称情報ＮＭ６と印字エリア指示枠ＰＡＲ６、印字項目名称情報ＮＭ７と印字エリア指示枠ＰＡＲ７、印字項目名称情報ＮＭ８と印字エリア指示枠ＰＡＲ８の各組合わせによる印字項目ガイドが配置されている。
これらの印字項目ガイドを見ることで、ユーザは、ラベルイメージ画像ＬＩＭにおいて、印字項目名称情報ＮＭ３〜８によって示される各種別（賞味期限、単価、内容量、値段、バーコード１、店舗情報）の印字項目について、どのような印字項目内容が入力されているのかを把握することができる。また、ユーザは、印字項目名称情報ＮＭ３〜８において示されている各種別の印字項目ごとの印字エリアの位置を把握することができる。
なお、以降において、印字項目名称情報ＮＭ１〜８について特に区別しない場合には、印字項目名称情報ＮＭと記載し、印字エリア指示枠ＰＡＲ１〜８について特に区別しない場合には、印字エリア指示枠ＰＡＲと記載する。
【００３３】
例えば、図３のラベルイメージ画像ＬＩＭを見ることによって、ユーザは、入力した印字項目がラベルに印字されたときのそのままの内容を確認することができる。ただし、ユーザとしては、例えばラベルイメージ画像ＬＩＭにおける印字内容がどの印字項目と対応しているのかを確認したいような場合がある。しかし、図３のラベルイメージ画像ＬＩＭは、印字が行われたときのラベルのそのままの内容を示す態様である。このため、図３のラベルイメージ画像ＬＩＭを見ただけでは、ユーザがラベルイメージ画像ＬＩＭにおける印字内容と印字項目との対応を確認することは難しい。
そこで、本実施形態では、図４にて説明したようにラベルイメージ画像ＬＩＭに印字項目ガイドを配置して表示させることができるようにしている。これにより、ユーザはラベルイメージ画像ＬＩＭ上の印字内容と印字項目との対応の確認を容易に行うことが可能になる。
【００３４】
また、例えば、図４に示す状態から印字項目ガイドを消去して、印字項目ガイドが配置されていないラベルイメージ画像ＬＩＭを表示させたい場合には、ユーザは、印字項目ガイド表示ボタンＢＴ１１を再度操作すればよい。このように、印字項目ガイドが配置されている状態において印字項目ガイド表示ボタンＢＴ１１が操作されるのに応じて印字項目ガイドが消去され、図３のラベルイメージ画面の状態に戻る。
【００３５】
また、図３または図４に示すラベルイメージ画面が表示されている状態において、印字項目リスト表示ボタンＢＴ１２が操作された場合、ラベルイメージ画面は図５に示す態様に変化する。
図５のラベルイメージ画面においては、ラベルイメージウィンドウＷＤ１とともに印字項目リストウィンドウＷＤ２が配置される。このように印字項目リストウィンドウＷＤ２が配置されているとき、ラベルイメージウィンドウＷＤ１におけるラベルイメージ画像ＬＩＭは、図３と同様に印字項目ガイドが配置される。
【００３６】
印字項目リストウィンドウＷＤ２においては印字項目リストが表示される。
印字項目リストは、同じラベルイメージ画面におけるラベルイメージ画像ＬＩＭに対応するラベルフォーマットにおいて設定されている印字項目についての一覧を示す。従って、印字項目リストにおいて示される各印字項目の欄は、ラベルイメージ画像ＬＩＭにおいて印字項目ごとに配置されている印字項目ガイドのうちのいずれかに対応する。
【００３７】
このように、図５に示されるラベルイメージ画像ＬＩＭの印字項目ガイドと、印字項目リストウィンドウＷＤ２の印字項目リストは、いずれも、ラベルイメージ画像ＬＩＭに表示されているラベルに対応するラベルフォーマットにおいて設定されている印字項目を示している。
ただし、印字項目ガイドは印字エリアの位置などに応じて散在してラベルイメージ画像ＬＩＭ上で配置されるが、印字項目リストでは、各印字項目が印字項目リストウィンドウＷＤ２内で配列された状態で表示される。このため、例えば、印字項目リストを見るほうが、印字項目ガイドの表示を見る場合よりも、ラベルフォーマットに設定されている印字項目がどのような内訳であるのかを把握しやすい。
【００３８】
また、図５に示すように、印字項目リストが表示されたラベルイメージ画面においては、編集ボタンＢＴ２１が配置されている。編集ボタンＢＴ２１は、印字項目リストから選択した印字項目について、ラベルイメージ画像ＬＩＭ上で編集できるようにするための操作が行われるボタンである。
【００３９】
例えば、ユーザは、印字項目リストウィンドウＷＤ２の印字項目リストから編集対象の印字項目を選択する操作を行う。編集対象の印字項目を選択する操作としては、例えば印字項目リストに示される印字項目の各欄のうち、編集対象の印字項目を示す欄に対するタッチ操作であればよい。編集対象の印字項目を選択する操作に応じて、印字項目リストにおいては選択された印字項目の欄が強調表示される。
次に、ユーザは、上記のように印字項目が選択された状態のもとで編集ボタンＢＴ２１に対する操作を行う。編集ボタンＢＴ２１に対する操作が行われるのに応じて、印字項目リストから編集対象として選択した印字項目についての編集が、ラベルイメージウィンドウＷＤ１内のラベルイメージ画像ＬＩＭに対する操作により可能となる。例えば、編集ボタンＢＴ２１に対する操作に応じて、ラベルイメージ画像ＬＩＭ上で編集対象として選択された印字項目の印字エリア指示枠ＰＡＲが強調表示され、編集可能であることが示される。
また、ここでの印字項目の編集は、具体的には、印字エリアの位置やサイズの変更、印字エリア内の文字など（印字項目内容）の変更などである。
このように、ユーザは、ラベルイメージ画像ＬＩＭ上に対する操作により印字項目の内容を編集することができる。
【００４０】
また、図５のラベルイメージ画面が表示されている状態において、印字項目ガイド表示ボタンＢＴ１１が表示された場合には、例えば図４のラベルイメージ画面に遷移する。
【００４１】
ユーザは、図３〜図５に示したラベルイメージ画面のいずれかが表示されている状態において、ラベルイメージ画像ＬＩＭに対して行った印字項目の編集結果を保存したい場合には、ボタン領域ＡＲ２における終了ボタンＢＴ１３を操作する。
終了ボタンＢＴ１３が操作されるのに応じて、ラベルプリンタ１００は、これまでのラベルイメージ画像ＬＩＭに対する操作による印字項目内容ごとの変更内容が反映されたラベルフォーマットと印字項目内容データを保存する。また、これとともに、これまで表示されていたラベルイメージ画面の表示が終了し、図２に示したラベル情報画面の表示に遷移する。ただし、終了ボタンＢＴ１３の操作に応じてラベル情報画面に遷移した場合、遷移後のラベル情報画面の内容は保存された編集データの内容が反映された状態に変化する。
【００４２】
また、ユーザは、ラベルイメージ画像ＬＩＭに対して行った印字項目の編集結果を反映させることなくラベルイメージ画面を終了させたい場合には、戻るボタンＢＴ１４を操作すればよい。戻るボタンＢＴ１４が操作されるのに応じて、ラベルプリンタ１００は、これまでのラベルイメージ画像ＬＩＭに対する操作による印字項目内容の変更結果を保存することなくラベルイメージ画面を終了させ、ラベル情報画面の表示に遷移させる。このように戻るボタンＢＴ１４に対する操作に応じてラベル情報画面に遷移した場合、ラベル情報画面の内容は、ラベルイメージ画面に遷移する前と同じである。
【００４３】
なお、図４及び図５に示すラベルイメージ画像ＬＩＭにおいては、印字項目ごとに対応する印字項目ガイドとして、印字項目名称情報ＮＭと印字エリア指示枠ＰＡＲの両者を配置させた例を示している。
しかし、例えば、印字項目ガイドとして印字項目名称情報ＮＭのみがラベルイメージ画像ＬＩＭ上の印字項目に対応して配置される態様であってもよい。この場合において、例えば、所定の操作に応じて、ラベルイメージ画像ＬＩＭ上で、印字項目名称情報ＮＭと印字エリア指示枠ＰＡＲの両者が印字項目ガイドとして配置される状態と、印字項目名称情報ＮＭのみが印字項目ガイドとして配置される状態とで切り換えが行われるようにしてもよい。
また、図４及び図５に示す印字項目名称情報ＮＭは、対応の印字項目についてのほぼ正規な名称を文字により示している。しかし、印字項目名称情報ＮＭは、必ずしも正確に名称を表記する必要はなく、一例として「バーコード１」について「ＢＡＲ１」などと表記するというように、省略形により印字項目の名称を示してもよい。また、印字項目名称情報ＮＭは、文字などに加えて印字項目の名称をイメージさせるような絵柄とともに印字項目の名称を示すようにしてもよい。
【００４４】
図６は、ラベルプリンタ１００の構成例を示している。ラベルプリンタ１００における本体部２００は、ＣＰＵ（Central Processing Unit）２０１、ＲＯＭ（Read Only Memory）２０２、ＲＡＭ（Random Access Memory）２０３、液晶表示部２０４、タッチパネル２０５、ラベル発行部２０６及び通信部２０７を備える。
【００４５】
ＣＰＵ２０１は、ＲＯＭ２０２及びＲＡＭ２０３とともにコンピュータを形成する。
ＣＰＵ２０１は、ＲＯＭ２０２に記憶されているプログラムを実行することによりラベルプリンタ１００としての各種動作を実現する。
【００４６】
ＲＯＭ２０２は、ＣＰＵ２０１が実行するプログラムのほか、ＣＰＵ２０１が利用する各種のデータを記憶する。ＲＡＭ２０３は、ＣＰＵ２０１の作業領域として利用される。
ここで、ＲＡＭ２０３は、記憶部として、ラベルフォーマット（ラベルフォーマットファイル）と、商品ファイル（印字項目内容データ）を記憶する。
ラベルフォーマットは、印字すべき印字項目ごとに対応してラベル上に設定された印字エリアを示す。印字項目内容データ印字項目ごとの内容（印字項目内容）を示す。
【００４７】
液晶表示部２０４は、図１に例示したように本体部２００に備えられ、ＣＰＵ２０１の制御に応じて所定の操作画像を表示する。タッチパネル２０５は、図１にて説明したように液晶表示部２０４の前面に対して備えられ、タッチ操作が行われるのに応じて、タッチされた位置を示す位置情報を出力する。ＣＰＵ２０１は、タッチパネル２０５が出力した位置情報を操作情報として処理する。これにより、ラベルプリンタ１００において、液晶表示部２０４に表示された画像に対するタッチ操作に応答した動作が行われる。
【００４８】
ラベル発行部２０６は、ラベルの編集結果に従った印字項目の内容をラベルの用紙に印字し、印字した用紙をラベルとして発行する。ラベル発行部２０６は、例えば本体部２００において、ラベルの用紙を格納する格納機構部と、ラベルの用紙に印字する印字機構部と、印字したラベルをラベル排出部２０６ａから排出させるラベル排出機構部などを備える。
【００４９】
通信部２０７は、所定の通信方式に対応するコネクタと通信機能を備える部位である。
前述のように、この通信部２０７に対してはかり部３００が接続されることで、本体部２００のＣＰＵ２０１とはかり部３００が通信可能となる。なお、図１の例では、当該通信部２０７とはかり部３００をケーブル１０１により接続しているが、例えば無線通信により接続されるようにしてもよい。
【００５０】
はかり部３００は、荷重を電気信号に変換するロードセル３０１を備えることにより、その上部に載せ置かれた物の重量を計測する。そして、はかり部３００は、計測した重量を示す情報を通信部２０７経由でＣＰＵ２０１に出力する。ＣＰＵ２０１は、このように入力した重量の情報を利用して、前述のように商品の値段を算出して商品データに反映させることができる。なお、はかり部３００は、ロードセル３０１以外により重量を計測する構成を採ってもよい。
【００５１】
図７は、ＲＡＭ２０３が記憶する情報の１つである商品ファイルを示している。商品ファイルは、ラベル発行対象の商品ごとについての印字項目の入力内容を示す情報である。本実施形態において、商品ファイルにおける商品ごとの情報が印字項目内容データである。
商品ファイルは、商品ごとに、商品番号、品名、単価、賞味期限、添加物などの各印字項目に対応する情報と、フォーマット番号の情報とを対応付けた構造である。
【００５２】
商品ファイルにおける印字項目の情報のそれぞれには、ラベル編集の操作に応じて入力された印字項目内容が格納される。また、図示は省略するが、印字項目の情報のうちで、対応のラベルフォーマットにおいて印字無しが設定されている印字項目については、無効であることを示す所定値が格納されればよい。
【００５３】
また、商品ファイルにおけるフォーマット番号の情報は、図８のラベルフォーマットファイルが格納するラベルフォーマットごとに付されたフォーマット番号のうち、対応の商品に適用されるラベルフォーマットのフォーマット番号を格納する。
【００５４】
また、ＲＡＭ（記憶部）２０３は、ラベルフォーマットを記憶する。ＲＡＭ２０３は、例えばラベルフォーマットファイルの形式でラベルフォーマットを記憶する。
図８は、ＲＡＭ２０３が記憶するラベルフォーマットファイルの構造例を示している。
図８に示すラベルフォーマットファイルは、ラベルフォーマットごとに、フォーマット番号、設定印字項目、右上支点座標、左下支点座標、向き、フォントの各データを対応付けた構造である。
フォーマット番号は、対応のラベルフォーマットの識別子であるフォーマット番号を示す。ラベルフォーマットファイルのフォーマット番号と、図８の商品ファイルにおいて商品ごとに対応付けられたフォーマット番号との対応により、商品ファイルにおける商品ごとの情報とラベルフォーマットの対応付けが行われる。
【００５５】
設定印字項目は、対応のラベルフォーマットにおいて印字有りと設定された印字項目を格納する。
右上支点座標は、設定印字項目における対応の印字項目の印字エリアの右上支点の座標を示す。左下支点座標は、設定印字項目における対応の印字項目の印字エリアの左下支点の座標を示す。
本実施形態では、印字エリアが方形（正方形又は長方形）である場合を例に挙げる。印字エリアが方形である場合、右上支点は方形の右上の頂点であり、左下支点は方形の左下の頂点である。従って、印字エリアのサイズと位置は、右上支点座標と左下支点座標とにより表現することができる。
例えば、右上支点座標を（ｘ１，ｙ１）、左下支点座標を（ｘ２，ｙ２）で表した場合、印字エリアの位置は、右上支点座標（ｘ１，ｙ１）と左下支点座標を（ｘ２，ｙ２）で決まるラベル上の方形の領域として求められる。また、印字エリアのサイズも、横方向の長さは、（ｘ１−ｘ２）の絶対値によって求められ、縦方向の長さは、（ｙ１−ｙ２）の絶対値によって求められる。
【００５６】
向きは、対応の印字項目の印字エリアにおける文字列の方向が縦と横のいずれであるのかを示す。
フォントは、対応の印字項目の印字エリアに印字されるフォントについての情報であり、例えばフォントの種類とサイズを示す。
【００５７】
ＣＰＵ２０１は、例えば、商品番号を指定することにより、指定の商品番号に対応付けられた印字項目の情報を印字項目内容データとして、商品ファイルから読み出す。また、ＣＰＵ２０１は、商品ファイルにおいて指定の商品番号に対応付けられたフォーマット番号が示すラベルフォーマットに対応付けられたデータをラベルフォーマットファイルから読み出す。
【００５８】
ＣＰＵ２０１は、商品ファイルから読み出した印字項目の情報（印字項目内容データ）を、読み出したラベルフォーマットに従ってレイアウトすることによりラベルイメージ画像ＬＩＭを生成することができる。
【００５９】
また、ＣＰＵ２０１は、読み出したラベルフォーマットのデータの内容に基づいて、図４に示したようにラベルイメージ画像ＬＩＭ上で印字項目ガイドを表示させることができる。
つまり、ＣＰＵ２０１は、読み出したラベルフォーマットにおける設定印字項目の情報を利用して印字項目ごとの印字項目の名称を認識する。また、ＣＰＵ２０１は、読み出したラベルフォーマットにおける右上支点座標、左下支点座標及び向きの情報を利用して、ラベルイメージ画像ＬＩＭ上での印字エリア指示枠の位置を決定する。そして、ＣＰＵ２０１は、決定した位置に印字エリア指示枠ＰＡＲを表示させるとともに、表示された印字エリア指示枠に対応させて、認識した印字項目の名称を印字項目名称情報ＮＭとして表示させる。
【００６０】
また、ＣＰＵ２０１は、読み出したラベルフォーマットの内容に基づいて、図５に示したように印字項目ガイドが表示されたラベルイメージ画面を表示させることができる。
つまり、ＣＰＵ２０１は、読み出したラベルフォーマットにおける設定印字項目の情報を利用して印字項目リストの画像を生成し、印字項目リストウィンドウＷＤ２内に印字項目リストを配置させるように表示する。
【００６１】
図９に示すフローチャートは、図３〜図５にて説明したようにラベルイメージ画面を表示するためにラベルプリンタ１００が実行する処理手順例を示している。図９に示す処理を実行するにあたり、図６のＣＰＵ２０１は表示制御部としての機能を実行する。
また、以降の説明にあたり、図３に例示したように印字項目ガイドと印字項目リストウィンドウＷＤ２が表示されていない態様のラベルイメージ画面については標準ラベルイメージ画面と呼ぶ。また、図４に例示したようにラベルイメージ画像ＬＩＭに対して印字項目ガイド（印字項目名称情報、印字エリア）が配置された態様のラベルイメージ画面についてはガイド付きラベルイメージ画面と呼ぶ。また、図５に例示したようにラベルイメージウィンドウＷＤ１と印字項目リストウィンドウＷＤ２が表示された態様のラベルイメージ画面についてはリスト付きラベルイメージ画面と呼ぶ。
【００６２】
ステップＳ１０１：表示制御部は、ラベルイメージ画面の表示を指示する操作が行われるのを待機している。ラベルイメージ画面の表示を指示する操作としては、例えばラベル情報画面におけるラベル印字イメージボタンＢＴ１に対する操作である。
ステップＳ１０２：ラベルイメージ画面の表示を指示する操作が行われるのに応じて、表示制御部は、ラベル情報画面によって示される指定の商品に対応する標準ラベルイメージ画面を表示する。この際、表示制御部は、商品ファイルにおいて指定の商品に対応する商品のデータ（印字項目内容データ）と、ラベルフォーマットファイルにおいて指定の商品に対応付けられたラベルフォーマットのデータとを利用して標準ラベルイメージ画面を表示する。
ステップＳ１０３：表示制御部は、標準ラベルイメージ画面、ガイド付きラベルイメージ画面、リスト付きラベルイメージ画面のいずれかが表示されている状態において、印字項目ガイド表示ボタンＢＴ１１が操作されたか否かについて判定している。
【００６３】
ステップＳ１０４：ステップＳ１０３において印字項目ガイド表示ボタンＢＴ１１が操作されたと判定した場合、表示制御部は、現在においてガイド付きラベルイメージ画面を表示中の状態であるか否かについて判定する。
ガイド付きラベルイメージ画面を表示中の状態の場合、表示制御部は、ステップＳ１０２に処理を戻すことにより、ラベルイメージ画像ＬＩＭ上からラベル印字ガイドを消去して、標準ラベルイメージ画面の表示に戻す。
【００６４】
ステップＳ１０５：ステップＳ１０４においてガイド付きラベルイメージ画面を表示中の状態ではないと判定した場合、表示制御部は、ガイド付きラベルイメージ画面を表示する。
具体的に、ステップＳ１０４においてガイド付きラベルイメージ画面を表示中の状態ではないと判定した場合、現在において標準ラベルイメージ画面とリスト付きラベルイメージ画面のいずれかを表示中の状態である。
現在において標準ラベルイメージ画面が表示中であった場合、表示制御部は、ラベルイメージ画像ＬＩＭ上に印字項目ガイドを配置させることで、ガイド付きラベルイメージ画面を表示する。
また、現在においてリスト付きラベルイメージ画面が表示中であった場合、表示制御部は、印字項目リストウィンドウＷＤ２を消去して、印字項目ガイドが配置されたラベルイメージ画像ＬＩＭが表示されているラベルイメージウィンドウＷＤ１を残す。これにより、リスト付きラベルイメージ画面からガイド付きラベルイメージ画面に表示が変更される。なお、表示制御部は、ガイド付きラベルイメージ画面に表示を変更する際、印字項目リストウィンドウＷＤ２の消去により非表示となった領域もラベルイメージウィンドウＷＤ１の領域として使用されるように、ラベルイメージウィンドウＷＤ１のサイズを変更してよい。また、ラベルイメージウィンドウＷＤ１のサイズ変更に伴い、ラベルイメージウィンドウＷＤ１内のラベルイメージ画像ＬＩＭの拡大率についても適宜変更してよい。
【００６５】
ステップＳ１０６：標準ラベルイメージ画面またはガイド付きラベルイメージ画面を表示させている状態において、表示制御部は、印字項目リスト表示ボタンＢＴ１２に対する操作が行われたか否かについて判定する。
ステップＳ１０７：印字項目リスト表示ボタンＢＴ１２に対する操作が行われたことを判定した場合、表示制御部は、リスト付きラベルイメージ画面を表示する。
【００６６】
ステップＳ１０８：表示制御部は、標準ラベルイメージ画面、ガイド付きラベルイメージ画面、リスト付きラベルイメージ画面のいずれかを表示させている状態において、終了ボタンＢＴ１３または戻るボタンＢＴ１４が操作された否かについて判定する。
終了ボタンＢＴ１３または戻るボタンＢＴ１４が操作されないと判定した場合、表示制御部は、ステップＳ１０３に処理を戻す。
ステップＳ１０９：終了ボタンＢＴ１３または戻るボタンＢＴ１４が操作されたことを判定した場合、表示制御部は、ラベルイメージ画面の表示を終了し、例えば、ラベル情報画面の表示に遷移させる。
【００６７】
このように図９の処理が実行されることで、ユーザの操作に応じて、標準ラベルイメージ画面、ガイド付きラベルイメージ画面、リスト付きラベルイメージ画面の間で表示を遷移させることができる。
【００６８】
図１０のフローチャートは、図５に例示したリスト付きラベルイメージ画面が表示されている状態の下でラベルの編集のための操作が行われるのに応じて、ラベルプリンタ１００が実行する処理手順例を示すフローチャートである。図９に示す処理を実行するにあたり、図６のＣＰＵ２０１は印字項目編集部としての機能を実行する。
【００６９】
ステップＳ２０１：印字項目編集部は、リスト付きラベルイメージ画面が表示されている状態において、印字項目リストウィンドウＷＤ２における印字項目リスト内の印字項目を選択する操作が行われたか否かについて判定する。印字項目リスト内の印字項目の欄を選択する操作は、前述のように、印字項目リストにおいて配列される印字項目に対するタッチ操作である。
印字項目リスト内の印字項目を選択する操作が行われない場合、印字項目編集部は、ステップＳ２０２をスキップして、ステップＳ２０３に処理を進める。
【００７０】
ステップＳ２０２：印字項目を選択する操作が行われるのに応じて、印字項目編集部は選択された印字項目の欄について強調表示が行われるように表示制御を実行する。
【００７１】
ステップＳ２０３：印字項目編集部は、リスト付きラベルイメージ画面が表示されている状態において、編集ボタンＢＴ２１に対する操作が行われたか否かについて判定する。編集ボタンＢＴ２１に対する操作が行われない場合、印字項目編集部は、ステップＳ２０７に処理を進める。
【００７２】
ステップＳ２０４：編集ボタンＢＴ２１に対する操作が行われた場合、印字項目編集部は、さらに、印字項目リストにおいて現在選択されている（強調表示されている）印字項目があるか否かについて判定する。印字項目リストにおいて現在選択されている印字項目が無い場合、印字項目編集部はステップＳ２０７に処理を進める。
【００７３】
ステップＳ２０５：現在選択されている印字項目がある場合、印字項目編集部は、選択されている印字項目を編集対象とする。つまり、印字項目編集部は、ステップＳ２０５において編集対象の印字項目を選択する。
ステップＳ２０６：ステップＳ２０５によって編集対象の印字項目を選択して以降、印字項目編集部は、編集を行うための操作が行われるのに応じて、編集対象の印字項目についての印字項目内容を変更し、変更した印字項目内容を保持する。
具体的に、例えば、印字エリアに入力する文字列を変更する操作が行われたのであれば、印字項目編集部は、印字項目内容における文字列を変更し、変更した文字列を含む印字項目内容を保持する。また、印字エリアの位置またはサイズを変更する操作が行われたのであれば、印字項目編集部は、印字項目内容における印字エリアの位置またはサイズを変更し、変更した印字エリアの位置またはサイズの情報を含む印字項目内容を保持する。
【００７４】
ステップＳ２０７：印字項目編集部は、終了ボタンＢＴ１３が操作されたか否かについて判定する。終了ボタンＢＴ１３が操作されない場合、印字項目編集部は、ステップＳ２１０に処理を進める。
【００７５】
ステップＳ２０８：終了ボタンＢＴ１３が操作されるのに応じて、印字項目編集部は、現在保持している印字項目内容を保存する。具体的には、例えばＲＡＭ２０３が記憶する印字項目内容データのうち、編集対象として選択された商品に対応する印字項目内容データを、現在保持している印字項目内容により更新する。このように、印字項目内容が保存されるのに応じて、編集対象の印字項目の印字内容について、ユーザが編集操作を行って変更した内容が確定される。
【００７６】
ステップＳ２０９：印字項目編集部は、ステップＳ２０８により保存された印字内容項目を、現在表示させているリスト付きラベルイメージ画面におけるラベルイメージ画像ＬＩＭに反映させる。
具体的に、ステップＳ２０６により印字項目内容として印字エリア内の文字列が変更されたのであれば、印字項目編集部は、ラベルイメージ画像ＬＩＭにおける対応の印字項目の文字列について保存後の内容に変更する。
また、ステップＳ２０６により印字項目内容として印字エリアの位置またはサイズが変更されたのであれば、印字項目編集部は、ラベルイメージ画像ＬＩＭにおける対応の印字エリア指示枠ＰＡＲについて、保存後の位置またはサイズを示すように変更する。
【００７７】
ステップＳ２１０：印字項目編集部は、戻るボタンＢＴ１４が操作されたか否かについて判定する。戻るボタンＢＴ１４が操作されない場合、印字項目編集部は、ステップＳ２０１に処理を戻す。
ステップＳ２１１：ステップＳ２１０において戻るボタンＢＴ１４が操作されたことを判定した場合、印字項目編集部は、ステップＳ２０６により保持していた変更後の印字項目内容を破棄する。
このように図１０の処理が実行されることで、リスト付きラベルイメージ画面が表示されている状態において、ユーザの操作に応じた印字項目内容の編集が可能となる。
【００７８】
なお、これまでの実施形態の説明ではラベルプリンタに本発明を適用した例を挙げている。しかし、本願発明が適用される装置としては、例えば商品を包装する包装機や商品の重量を計測するはかりなどにラベル編集とラベル印字機能が備えられたようなものであってもよい。
また、本願発明が適用される装置としては、例えばラベル印字機能を有する装置とは別体のラベル編集機能を有する装置であってもよい。また、このようなラベル編集機能を有する装置としては、ラベル編集機能に特化された専用の装置であってもよいし、ラベル編集機能を実現するプログラムを実行して動作するパーソナルコンピュータなどであってもよい。
【００７９】
なお、上述の表示制御部または印字項目編集部の機能を実現するためのプログラムをコンピュータ読み取り可能な記録媒体に記録して、この記録媒体に記録されたプログラムをコンピュータシステムに読み込ませ、実行することにより上述の表示制御部または印字項目編集部の処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【００８０】
以上、本発明の実施形態について図面を参照して説明してきたが、ここで、上記実施の形態で示したラベルプリンタに関し、以下の付記を開示する。
【００８１】
（付記項１）
ラベルに印字すべき印字項目内容を編集するラベル編集装置であって、印字項目ごとに対応してラベル上に設定された印字エリアを示すラベルフォーマットと、印字項目ごとの内容を示す印字項目内容データを記憶する記憶部と、ラベルフォーマットが示す印字エリアに対して印字項目内容データが示す印字項目の内容を印字したラベルの状態を示すラベルイメージ画像上に、印字項目ごとの名称を示す情報の印字項目ガイドを配置させて表示する表示制御部とを備えるラベル編集装置。
【００８２】
（付記項２）
前記表示制御部は、前記ラベルイメージ画像上に、印字エリアを示す印字項目ガイドをさらに配置させて表示する付記項１に記載のラベル編集装置。
【００８３】
上記構成によれば、ラベルイメージ画像上に、印字項目ごとの名称を示す情報の表示とともに、対応の印字項目の印字エリアを示す表示が行われる。
【００８４】
（付記項３）
前記表示制御部は、前記印字項目ガイドが配置されたラベルイメージ画像とともに、前記ラベルイメージ画像に対応するラベルフォーマットにおいて設定されている印字項目の一覧を示す印字項目リストを表示させる付記項１または２に記載のラベル編集装置。
【００８５】
上記構成によれば、ラベルイメージ画像と、ラベルイメージ画像において設定されている印字項目の一覧とを１つの画面上で表示させることができる。
【００８６】
（付記項４）
前記印字項目リストにおいて示される印字項目のうちから編集対象として選択された印字項目を編集する操作に応じて、編集対象の印字項目の内容を変更する印字項目編集部をさらに備える付記項３に記載のラベル編集装置。
【００８７】
上記構成によれば、ラベルイメージ画像と、ラベルイメージ画像において設定されている印字項目の一覧とが表示された画面に対する操作によって、印字項目の内容の編集を行うことが可能になる。
【符号の説明】
【００８８】
１００  ラベルプリンタ
１０１  ケーブル
２００  本体部
２０１  ＣＰＵ
２０２  ＲＯＭ
２０３  ＲＡＭ
２０４  液晶表示部
２０５  タッチパネル
２０６  ラベル発行部
２０６ａ  ラベル排出部
２０７  通信部
【図１】
2014205307.tif 000003
【図２】
2014205307.tif 000004
【図３】
2014205307.tif 000005
【図４】
2014205307.tif 000006
【図５】
2014205307.tif 000007
【図６】
2014205307.tif 000008
【図７】
2014205307.tif 000009
【図８】
2014205307.tif 000010
【図９】
2014205307.tif 000011
【図１０】
2014205307.tif 000012